(57)【要約】【課題】ユーザーごとに消耗品の使用量を制限することができる画像形成装置を提供する。【解決手段】画像形成装置１００は、複数の装着部３１と、画像形成部３０と、制御部１５とを備える。複数の装着部３１は、交換部品３４が装着される。交換部品３４は、複数色の消耗品を収容する。画像形成部３０は、複数色の消耗品のいずれかを消費することによって記録媒体Ｐに画像を形成する。制御部１５は、複数のユーザーの各々に、複数色の消耗品のそれぞれについて、最大使用量を設定する。最大使用量は、使用可能な消耗品の量を示す。【選択図】図１
2019086738.tif 000002
【特許請求の範囲】
【請求項１】
複数色の消耗品を収容する交換部品が装着される複数の装着部と、
前記複数色の消耗品のいずれかを消費することによって記録媒体に画像を形成する画像形成部と、
複数のユーザーの各々に、前記複数色の消耗品のそれぞれについて、使用可能な前記消耗品の量を示す最大使用量を設定する制御部と
を備える、画像形成装置。
【請求項２】
通知画面を表示する表示部と、
前記複数のユーザーの各々に対応付けて前記最大使用量と累積使用量とを記憶する記憶部と
をさらに備え、
前記累積使用量は、前記交換部品が交換された時点から現在までの前記複数のユーザーの各々の前記消耗品の消費量を示し、
前記制御部は、
前記記録媒体に形成する予定の画像を示す画像データに基づいて予定使用量を算出し、
前記累積使用量と前記予定使用量との合計が、前記最大使用量を超えるか否かを判定し、前記最大使用量を超えると判定した場合、前記通知画面を表示させ、
前記通知画面は、前記表示部に前記合計が前記最大使用量を超えることを示す、請求項１に記載の画像形成装置。
【請求項３】
前記表示部は、割り当てられた前記最大使用量に対する前記累積使用量の割合を示すインジケーターを表示する、請求項２に記載の画像形成装置。
【請求項４】
前記交換部品が交換された場合、前記制御部は、前記交換部品が交換される前の前記累積使用量に基づいて、前記ユーザーごとに前記最大使用量を新たに設定する、請求項２または請求項３に記載の画像形成装置。
【請求項５】
前記記憶部は、ユーザーに割り当て可能な前記消耗品の量を示す割当可能量をさらに記憶する、請求項２から請求項４のいずれか１項に記載の画像形成装置。
【請求項６】
前記制御部は、前記複数のユーザーのうちのいずれかのユーザーの前記最大使用量が変更されたことに応じて、前記割当可能量を変更する、請求項５に記載の画像形成装置。
【請求項７】
前記交換部品が交換された場合、前記制御部は、前記交換部品が収容する前記消耗品の色に係る前記累積使用量に基づいて、その色に対応する前記最大使用量を新たに設定する、請求項２から請求項６に記載の画像形成装置。
【請求項８】
入力部をさらに備え、
前記制御部は前記複数のユーザーごとに前記最大使用量を割り当て、
前記制御部は、前記入力部の指示に応じて、前記複数のユーザーのうちのユーザーに割り当てられた前記最大使用量のうちの一部を、別のユーザーに割り当てる、請求項１から請求項７のいずれか１項に記載の画像形成装置。
【発明の詳細な説明】
【技術分野】
【０００１】
本発明は、画像形成装置に関する。
【背景技術】
【０００２】
画像形成装置には、トナー（消耗品）が充填されたトナーコンテナが本体に着脱自在に設けられている（例えば、特許文献１）。トナーが無くなると、空のトナーコンテナを新しいトナーコンテナに交換して、画像形成装置にトナーを供給する。
【先行技術文献】
【特許文献】
【０００３】
【特許文献１】特開２０１７−４４７２４号公報
【発明の概要】
【発明が解決しようとする課題】
【０００４】
しかしながら、特許文献１に記載の画像形成装置では、ユーザーごとにトナーの消費量の制限をすることができない。
【０００５】
本発明は上記課題に鑑みてなされたものであり、その目的はユーザーごとに消耗品の使用量を制限することができる画像形成装置を提供することにある。
【課題を解決するための手段】
【０００６】
本発明に係る画像形成装置は、複数の装着部と、画像形成部と、制御部とを備える。前記複数の装着部は、交換部品が装着される。前記交換部品は、複数色の消耗品を収容する。前記画像形成部は、前記複数色の消耗品のいずれかを消費することによって記録媒体に画像を形成する。前記制御部は、複数のユーザーの各々に、前記複数色の消耗品のそれぞれについて、最大使用量を設定する。前記最大使用量は、使用可能な前記消耗品の量を示す。
【発明の効果】
【０００７】
本発明によれば、ユーザーごとに消耗品の使用量を制限することができる。
【図面の簡単な説明】
【０００８】
【図１】本発明の実施形態に係る画像形成装置の内部構造を示す断面図である。
【図２】記憶部に記憶されているデータを示す図である。
【図３】本発明の実施形態に係る画像形成装置の画像形成方法を示すフローチャートである。
【図４】画像形成装置の操作パネルを示す図である。
【図５】表示部を示す図である。
【図６】表示部を示す図である。
【図７】表示部を示す図である。
【図８】表示部を示す図である。
【図９】トナー使用量表示部を示す図である。
【図１０】本発明の実施形態に係る画像形成装置の最大使用量の設定方法を示すフローチャートである。
【発明を実施するための形態】
【０００９】
以下、本発明の実施形態について、図面を参照しながら説明する。なお、図中、同一または相当部分については同一の参照符号を付して説明を繰り返さない。
【００１０】
図１および図２を参照して、本発明の実施形態に係る画像形成装置１００について説明する。
【００１１】
画像形成装置１００は、画像形成部３０と、複数の装着部（装着部３１Ｙ、装着部３１Ｍ、装着部３１Ｃおよび装着部３１Ｂｋ）と、複数のトナー残量センサー（トナー残量センサー３７Ｙ、３７Ｍ、３７Ｃ、３７Ｂｋ）と、定着部６０と、給紙部４０と、入力部８０と、表示部９０と、制御部１５と、記憶部１７とを備える。本明細書において、装着部３１Ｙ、装着部３１Ｍ、装着部３１Ｃおよび装着部３１Ｂｋを総称して、装着部３１と記載することがある。また、本明細書において、トナー残量センサー３７Ｙ、３７Ｍ、３７Ｃおよび３７Ｂｋを総称して、トナー残量センサー３７と記載することがある。
【００１２】
画像形成装置１００には、搬送経路５０が形成されている。画像形成部３０は、記録媒体Ｐにトナー像を形成する。定着部６０は、トナー像を記録媒体Ｐに定着させる。給紙部４０は、画像形成部３０へ搬送される定型の記録媒体Ｐを貯留する。搬送経路５０は、給紙部４０から、画像形成部３０および定着部６０を経由して、排出口７０まで記録媒体Ｐが搬送される経路である。
【００１３】
画像形成部３０は、トナーを消費することによって記録媒体Ｐに画像を形成する。詳しくは、画像形成部３０は、フルカラーのトナー像を記録媒体Ｐに転写する。画像形成部３０は、画像形成ユニット３２と、中間転写ユニット３３とを含む。画像形成ユニット３２は、イエローＹ、マゼンタＭ、シアンＣおよびブラックＢｋの各色のトナー像をそれぞれ形成する４つの画像形成ユニット３２Ｙ、３２Ｍ、３２Ｃおよび３２Ｂｋを含む。各画像形成ユニット３２Ｙ、３２Ｍ、３２Ｃおよび３２Ｂｋは、現像ユニット３５と、感光体ユニット３６とを含む。トナーは、「消耗品」の一例に相当する。
【００１４】
中間転写ユニット３３は、中間転写ベルト３３１と、クリーニング装置３３４とを備える。中間転写ベルト３３１は、無端ベルトである。クリーニング装置３３４は、中間転写ベルト３３１の外周面に残っているトナーをクリーニングする。
【００１５】
装着部３１には、交換部品が装着される。詳しくは、装着部３１Ｙ、３１Ｍ、３１Ｃ、および３１Ｂｋのそれぞれには、交換部品３４Ｙ、３４Ｍ、３４Ｃ、および３４Ｂｋが装着される。
【００１６】
交換部品３４Ｙ、３４Ｍ、３４Ｃ、および３４Ｂｋはそれぞれ、イエローＹ、マゼンタＭ、シアンＣ、およびブラックＢｋの各色のトナーを収容する。イエローＹ、マゼンタＭ、シアンＣ、およびブラックＢｋの各色のトナーが、各色に対応する画像形成ユニット３２Ｙ、３２Ｍ、３２Ｃ、および３２Ｂｋの現像ユニット３５に、交換部品３４Ｙ、３４Ｍ、３４Ｃ、および３４Ｂｋから、図略の供給経路を通して供給される。本明細書において、交換部品３４Ｙ、３４Ｍ、３４Ｃ、および３４Ｂｋを総称して、交換部品３４と記載することがある。
【００１７】
複数のトナー残量センサー３７の各々は、複数の交換部品３４の各々に対応する。各トナー残量センサー３７は、対応する交換部品３４内のトナー残量を検出する。各トナー残量センサー３７は、例えば、透磁率センサーである。各トナー残量センサー３７は、交換部品３４内のトナーの透磁率を検出することで、交換部品３４内のトナー残量を検出する。
【００１８】
制御部１５は、ＣＰＵ（Ｃｅｎｔｒａｌ  Ｐｒｏｃｅｓｓｉｎｇ  Ｕｎｉｔ）のようなプロセッサー、およびＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等によって構成されるハードウェア回路である。制御部１５は、記憶部１７に記憶された制御プログラムをプロセッサーが読み出して実行することによって、画像形成装置１００の各部の動作を制御する。制御部１５は、画像形成部３０によるトナーを消費する動作を制御する。また、制御部１５は、ユーザーごとに、最大使用量を設定する。最大使用量は、使用可能なトナーの量を示す。
【００１９】
記憶部１７は、ＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）、およびＲＯＭ（Ｒｅａｄ  Ｏｎｌｙ  Ｍｅｍｏｒｙ）によって構成される。記憶部１７は、外部メモリーを含んでいてもよい。外部メモリーは、リムーバブルメディアである。記憶部１７は、外部メモリーとして、例えば、ＵＳＢ（Ｕｎｉｖｅｒｓａｌ  Ｓｅｒｉａｌ  Ｂｕｓ）メモリー、およびＳＤ（Ｓｅｃｕｒｅ  Ｄｉｇｉｔａｌ）カードを含む。記憶部１７は、各種のデータ、および、画像形成装置１００の各部の動作を制御するための制御プログラムを記憶する。制御プログラムは、制御部１５によって実行される。
【００２０】
表示部９０は、ソフトウェアボタンを表示可能なタッチパネル機能を有するディスプレーであり、操作パネルに配置される。このようなタッチパネル機能は、表示部９０と入力部８０とを兼ね得る。
【００２１】
入力部８０は、例えば、タッチパネル機能と種々のハードウェアボタンとを有する操作パネルである。入力部８０には、ユーザーによる指示が入力される。ハードウェアボタンは、スタートボタン８１を含む。スタートボタン８１は、画像形成装置１００の動作の実行を開始する指示を入力するためのボタンである。ユーザーは、スタートボタン８１を押下することによって、例えば、消費開始指示を入力する。消費開始指示は、トナーを消費する機能（例えば、コピー印刷機能）の実行を開始するための指示を示す。
【００２２】
図２を参照して、記憶部１７についてさらに説明する。図２は、記憶部１７に記憶されているデータを示す図である。
【００２３】
図２に示すように、記憶部１７は、ユーザーに対応付けて最大使用量と累積使用量とを記憶する。累積使用量は、交換部品３４が交換された時点から現在までのユーザーごとのトナーの消費量を示す。詳しくは、記憶部１７は、ユーザーＩＤ（ユーザーアカウント）に対応付けて最大使用量と累積使用量とを記憶している。また、記憶部１７は、複数色のトナーのそれぞれについて、最大使用量と累積使用量とを記憶している。
【００２４】
例えば、ユーザーＩＤが「Ａ０００１」であるユーザー「ＡＡＡ」の、Ｃｙａｎの最大使用量として「３０％」、Ｍａｇｅｎｔａの最大使用量として「３０％」、Ｙｅｌｌｏｗの最大使用量として「３０％」、Ｂｌａｃｋの最大使用量として「ＮＡ」が記憶されている。ここで、「ＮＡ」とは、最大使用量が設定されていないことを示す。すなわち、使用可能なトナーの上限が設定されていないことを示す。最大使用量は、例えば、交換部品が交換されることによってリセットされる。すなわち、交換部品が交換されることによって、制御部１５は、最大使用量をＮＡとして設定する。あるいは、制御部１５は、交換部品３４が交換された場合、交換部品３４が交換される前の最大使用量と同じ値を再び設定するようにしてもよい。
【００２５】
また、ユーザーＩＤが「Ａ０００１」であるユーザー「ＡＡＡ」の、Ｃｙａｎの累積使用量として「８％」、Ｍａｇｅｎｔａの累積使用量として「５％」、Ｙｅｌｌｏｗの累積使用量として「１５％」、Ｂｌａｃｋの累積使用量として「３０％」が記憶されている。累積使用量は、交換部品３４が交換されることによってリセットされる。
【００２６】
図１〜図４を参照して、本発明の実施形態に係る画像形成装置１００の画像形成方法について説明する。図３は、本発明の実施形態に係る画像形成装置１００の画像形成方法を示すフローチャートである。図４は、画像形成装置１００の操作パネルを示す図である。図３に示すステップＳ１０２〜ステップＳ１１４の処理が実行されることによって、記録媒体Ｐに画像形成が行われる。
【００２７】
ステップＳ１０２：制御部１５が、プリントジョブを受信する。処理は、ステップＳ１０４に進む。
【００２８】
ステップＳ１０４：制御部１５は、記録媒体Ｐに形成する予定の画像を示す画像データに基づいて予定使用量を算出する。予定使用量とは、プリントジョブを実行するために消費されるトナーの使用量を示す。処理は、ステップＳ１０６に進む。
【００２９】
ステップＳ１０６：制御部１５は、記録媒体Ｐに画像を形成するユーザーを特定する。制御部１５は、例えば、プリントジョブに含まれるユーザーＩＤに基づいてユーザーを特定する。または、制御部１５は、例えば、画像形成装置１００を利用するために、ログインを行った際のユーザーＩＤに基づいてユーザーを特定する。処理は、ステップＳ１０８に進む。
【００３０】
ステップＳ１０８：制御部１５は、累積使用量と最大使用量とを取得する。詳しくは、制御部１５は、ステップＳ１０６において制御部１５が特定したユーザーに対応する累積使用量と最大使用量とを記憶部１７から取得する。なお、制御部１５は、画像形成の際に消費される色に関してのみ累積使用量と最大使用量とを取得してもよい。例えば、モノクロ印刷の場合、制御部１５は、Ｂｌａｃｋの累積使用量および最大使用量のみを取得してもよい。処理は、ステップＳ１１０に進む。
【００３１】
ステップＳ１１０：制御部１５は、累積使用量と予定使用量との合計が、最大使用量を超えるか否かを判定する。制御部１５が累積使用量と予定使用量との合計が、最大使用量を超えていないと判定した場合（ステップＳ１１０：Ｎｏ）、処理はステップＳ１１４に進む。制御部１５が累積使用量と予定使用量との合計が、最大使用量を超えていると判定した場合（ステップＳ１１０：Ｙｅｓ）、処理は、ステップＳ１１２に進む。
【００３２】
ステップＳ１１２：図４に示すように、制御部１５は、表示部９０に通知画面Ｍ１を表示させる。詳しくは、累積使用量と予定使用量との合計が、最大使用量を超えると判定した場合、表示部９０に累積使用量と予定使用量との合計が、最大使用量を超えることを示す通知画面Ｍ１を表示させる。例えば、通知画面Ｍ１には、例えば、「トナーの使用量が、最大使用量を超えます。」の通知文が表示される。この場合、画像形成部３０は、記録媒体Ｐに画像を形成しない。処理は、終了する。
【００３３】
ステップＳ１１４：画像形成部３０は、記録媒体Ｐに画像を形成する。処理は、終了する。
【００３４】
以上、図１〜図４を参照して説明したように、制御部１５は、複数のユーザーの各々に、使用可能な消耗品（トナー）の量を示す最大使用量を設定する。したがって、ユーザーごとに消耗品の使用量を制限することができる。
【００３５】
また、累積使用量と予定使用量との合計が、最大使用量を超えると制御部１５が判定した場合、表示部９０に累積使用量と予定使用量との合計が最大使用量を超えることを示す通知画面Ｍ１を表示させる。したがって、ユーザーは、消耗品の使用量が最大使用量を超えるため、画像形成が行われなかったことを確認することができる。
【００３６】
また、制御部１５は、複数色の消耗品のそれぞれについて、最大使用量を設定する。したがって、モノクロ印刷を多く行うユーザーに対して、Ｂｌａｃｋの最大使用量を多くするように設定することができる。あるいは、写真画像のようなカラー印刷を多く行うユーザーに対して、Ｃｙａｎ、ＭａｇｅｎｔａおよびＹｅｌｌｏｗの最大使用量を多くするように設定することができる。
【００３７】
図１および図５〜図９を参照して、最大使用量の設定方法について説明する。図５〜図８は、表示部９０を示す図である。図９は、トナー使用量表示部１６４を示す図である。最大使用量の設定は、例えば、画像形成装置１００の管理者によって行われる。
【００３８】
まず、図５を参照して、設定メニュー画面Ｍ２について説明する。図５に示すように、制御部１５は、設定メニュー画面Ｍ２を表示部９０に表示させる。設定メニュー画面Ｍ２は、複数の設定項目ボタン１１２を含む。複数の設定項目ボタン１１２は、設定項目ボタン１１２ａと、設定項目ボタン１１２ｂと、設定項目ボタン１１２ｃとを含む。設定項目ボタン１１２ａには、「ユーザーログイン設定」が割り付けられている。設定項目ボタン１１２ｂには、「ジョブアカウント設定」が割り付けられている。設定項目ボタン１１２ｃには、「トナーアカウント設定」が割り付けられている。
【００３９】
ユーザーが設定項目ボタン１１２を接触操作することによって、設定項目ボタン１１２に割り付けられた項目を設定するための設定画面が表示される。例えば、ユーザーが、設定項目ボタン１１２ｃを接触操作することによって、「トナーアカウント設定」をするための設定画面が表示される。
【００４０】
図６を参照して、設定メニュー画面Ｍ３について説明する。設定メニュー画面Ｍ２（図５参照）が表示されている状態から、ユーザーの設定項目ボタン１１２ｃの接触操作に応じて、制御部１５は、設定メニュー画面Ｍ３を表示部９０に表示させる。図６に示すように、設定メニュー画面Ｍ３は、複数の設定項目ボタン１１４を含む。複数の設定項目ボタン１１４は、設定項目ボタン１１４ａと、設定項目ボタン１１４ｂとを含む。設定項目ボタン１１４ａには、「最大使用量設定」が割り付けられている。設定項目ボタン１１４ｂには、「使用量確認」が割り付けられている。
【００４１】
ユーザーが設定項目ボタン１１４を接触操作することによって、制御部１５は、設定項目ボタン１１４に割り付けられた項目に対応する画面を表示部９０に表示させる。例えば、ユーザーが、設定項目ボタン１１４ａを接触操作することによって、「最大使用量設定」をするための設定画面が表示される。
【００４２】
図７を参照して、最大使用量設定画面Ｍ４について説明する。設定メニュー画面Ｍ３（図６参照）が表示されている状態から、ユーザーの設定項目ボタン１１４ａの接触操作に応じて、最大使用量設定画面Ｍ４が表示部９０に表示される。
【００４３】
図７に示すように、最大使用量設定画面Ｍ４は、設定ユーザー選択部１２０と、最大使用量設定部１３０と、割当可能量表示部１４０と、戻るボタン１５２とを含む。
【００４４】
設定ユーザー選択部１２０は、文字列入力部１２２と、絞り込みボタン１２４とを有する。文字列入力部１２２には、文字列が入力される。詳しくは、文字列入力部１２２には、最大使用量の設定を行う対象のユーザー名の一部または全てが入力される。絞り込みボタン１２４へのユーザーの接触操作に応じて、文字列入力部１２２に入力されている文字列を含むユーザー名の最大使用量の設定が、最大使用量設定部１３０に表示される。
【００４５】
最大使用量設定部１３０は、ユーザー名表示部１３２と、カラー表示部１３４と、最大使用量表示部１３６と、設定変更ボタン１３８とを有する。ユーザー名表示部１３２は、ユーザー名を表示する。詳しくは、ユーザー名表示部１３２は、設定ユーザー選択部１２０で選択されたユーザー名を表示する。カラー表示部１３４は、トナーの色を表示する。最大使用量表示部１３６は、最大使用量を表示する。
【００４６】
設定変更ボタン１３８は、最大使用量を設定するためのボタンである。設定変更ボタン１３８は、トナーの色ごとに設けられている。したがって、トナーの色ごとに最大使用量を変更することができる。詳しくは、設定変更ボタン１３８へのユーザーの接触操作に応じて、制御部１５は、設定変更ボタン１３８の下方にプルダウンメニューを表示させるように表示部９０を制御する。プルダウンメニューには、最大使用量を選択するための最大使用量のリストが表示される。あるいは、設定変更ボタン１３８へのユーザーの接触操作に応じて、増加ボタンおよび減少ボタンを表示部９０に表示させるように制御してもよい。増加ボタンは、最大使用量を増加させるためのボタンである。減少ボタンは、最大使用量を減少させるためのボタンである。あるいは、設定変更ボタン１３８へのユーザーの接触操作に応じて、制御部１５は、設定変更ボタン１３８の下方に、最大使用量を指定するためのテンキーを表示させるように表示部９０を制御してもよい。
【００４７】
割当可能量表示部１４０には、割当可能量が表示されている。割当可能量は、ユーザーに割り当て可能なトナーの量を示す。割当可能量は、記憶部１７に記憶されている。制御部１５は、複数のユーザーのうちのいずれかのユーザーの最大使用量が変更されたことに応じて、割当可能量を変更する。例えば、最大使用量が設定されていないユーザーに対して、新たに最大使用量を設定された場合、制御部１５は、新たに最大使用量を設定した最大使用量の分だけ割当可能量を減少させる。また、制御部１５は、最大使用量が増加するように変更した場合、割当可能量を最大使用量の増加分だけ減少させる。一方、制御部１５は、最大使用量が減少するように変更した場合、割当可能量を最大使用量の減少分だけ増加させる。また、最大使用量が設定されていないユーザー、すなわち最大使用量が「ＮＡ」であるユーザーが、トナーを使用する度に、制御部１５は、割当可能量を使用したトナーの分だけ減少させる。
【００４８】
戻るボタン１５２へのユーザーの接触操作に応じて、制御部１５は、前の画面、すなわち、設定メニュー画面Ｍ３を表示部９０に表示させる。
【００４９】
図８および図９を参照して、トナー使用量確認画面Ｍ５について説明する。設定メニュー画面Ｍ３（図６参照）が表示されている状態から、ユーザーの設定項目ボタン１１４ｂの接触操作に応じて、トナー使用量確認画面Ｍ５が表示部９０に表示される。
【００５０】
図８に示すように、トナー使用量確認画面Ｍ５は、設定ユーザー選択部１２０と、トナー使用量確認部１６０と、割当可能量表示部１４０と、戻るボタン１５２と、リセットボタン１５４と、レポートボタン１５６を含む。
【００５１】
設定ユーザー選択部１２０は、文字列入力部１２２と、絞り込みボタン１２４とを有する。文字列入力部１２２には、文字列が入力される。詳しくは、文字列入力部１２２には、最大使用量の設定を行う対象のユーザー名の一部または全てが入力される。絞り込みボタン１２４へのユーザーの接触操作に応じて、文字列入力部１２２に入力されている文字列を含むユーザー名のトナー使用量の設定が、トナー使用量確認部１６０に表示される。
【００５２】
トナー使用量確認部１６０は、ユーザー名表示部１６２と、トナー使用量表示部１６４とを有する。ユーザー名表示部１６２は、ユーザー名を表示する。詳しくは、ユーザー名表示部１６２は、設定ユーザー選択部１２０で選択されたユーザー名を表示する。
【００５３】
図９に示すように、トナー使用量表示部１６４は、カラー表示部１６６と、インジケーター１６７と、累積使用量表示部１６８と、最大使用量表示部１６９とを有する。カラー表示部１３４は、トナーの色を表示する。インジケーター１６７は、割り当てられた最大使用量に対する累積使用量の割合を示す。インジケーター１６７は、累積使用量部分１６７ａと、最大使用量部分１６７ｂとを有する。累積使用量部分１６７ａの色と、最大使用量部分１６７ｂの色とは、異なる。したがって、最大使用量部分１６７ｂに対する、累積使用量部分１６７ａの割合を容易に視認することができる。
【００５４】
累積使用量表示部１６８には、累積使用量が表示される。最大使用量表示部１６９には、最大使用量が表示される。
【００５５】
再び、図８を参照する。割当可能量表示部１４０には、割当可能量が表示されている。割当可能量は、ユーザーに割り当て可能なトナーの量を示す。
【００５６】
戻るボタン１５２へのユーザーの接触操作に応じて、制御部１５は、前の画面、すなわち、設定メニュー画面Ｍ３を表示部９０に表示させる。
【００５７】
リセットボタン１５４へのユーザーの接触操作に応じて、制御部１５は、選択されているユーザーの最大使用量の表示をリセットする。
【００５８】
レポートボタン１５６へのユーザーの接触操作に応じて、制御部１５は、選択されているユーザーのトナー使用量の情報を記録媒体Ｐに画像を形成するように画像形成部３０を制御する。ユーザーのトナー使用量の情報は、例えば、最大使用量の設定日、トナーの色、最大使用量および累積使用量を含む。
【００５９】
図１、図２、図７および図１０を参照して、本発明の実施形態に係る画像形成装置１００の最大使用量の設定方法について説明する。図１０は、本発明の実施形態に係る画像形成装置１００の最大使用量の設定方法を示すフローチャートである。図１０に示すステップＳ２０２〜ステップＳ２０８の処理が実行されることによって、最大使用量の設定が行われる。
【００６０】
ステップＳ２０２：制御部１５は、最大使用量設定の指示を受信する。詳しくは、設定変更ボタン１３８（図７参照）へのユーザーの接触操作に応じて、制御部１５は、最大使用量設定の指示を受信する。処理は、ステップＳ２０４に進む。
【００６１】
ステップＳ２０４：制御部１５は、最大使用量を設定するユーザーを特定する。処理は、ステップＳ２０６に進む。
【００６２】
ステップＳ２０６：制御部１５は、ステップＳ２０４において特定されたユーザーの最大使用量を設定する。詳しくは、制御部１５は、設定変更ボタン１３８によって設定された最大使用量を記憶部１７に記憶させる。
【００６３】
ステップＳ２０８：制御部１５は、最大使用量の変更に応じて割当可能量を変更する。例えば、制御部１５は、最大使用量が増加するように変更した場合、割当可能量を最大使用量の増加分だけ減少させる。一方、制御部１５は、最大使用量が減少するように変更した場合、割当可能量を最大使用量の減少分だけ増加させる。そして、制御部１５は、変更した割当可能量を記憶部１７に記憶させる。処理は、終了する。
【００６４】
なお、図１〜図１０を参照して説明した画像形成装置１００では、制御部１５がユーザーの入力に応じて最大使用量を変更していたが、制御部１５がトナーの使用実績に応じてユーザーごとに自動設定するようにしてもよい、例えば、交換部品３４が交換された場合、制御部１５は、交換部品３４が交換される前の累積使用量に基づいて、ユーザーごとに最大使用量を新たに設定してもよい。例えば、交換部品３４が交換される前に、Ｂｌａｃｋのトナーの最大使用量を１７％に設定していたものの、Ｂｌａｃｋのトナーの累積使用量が３％だけであったユーザーに対しては、最大使用量として５％を新たに設定してもよい。
【００６５】
また、交換部品が交換された場合、制御部１５は、交換部品が収容する消耗品の色に係る累積使用量に基づいて、その色に対応する最大使用量を新たに設定するようにしてもよい。例えば、交換部品３４が交換された場合、文書のようなモノクロ印刷を多く行うユーザーに対して、制御部１５は、Ｂｌａｃｋの最大使用量を多くするように、最大使用量を新たに設定してもよい。あるいは、写真画像のようなカラー印刷を多く行うユーザーに対して、制御部１５は、Ｃｙａｎ、ＭａｇｅｎｔａおよびＹｅｌｌｏｗの最大使用量を多くするように、最大使用量を新たに設定してもよい。
【００６６】
制御部１５は、入力部８０の指示に応じて、あるユーザーに割り当てられた最大使用量のうちの一部を、別のユーザーに割り当ててもよい。例えば、管理者が入力部８０を操作することによって、ユーザーＡＡＡの最大使用量の『３０％』のうち、『５％』をユーザーＢＢＢに割り当てることができる。その結果、ＡＡＡの最大使用量は、『３０％』から『２５％』に減少し、ＢＢＢの最大使用量は、『５％』増加する。
【００６７】
以上、図面（図１〜図１０）を参照しながら本発明の実施形態を説明した。但し、本発明は、上記の実施形態に限られるものではなく、その要旨を逸脱しない範囲で種々の態様において実施することが可能である（例えば、下記に示す（１）〜（２））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００６８】
（１）図１〜図１０を参照して説明した画像形成装置１００は、カラー複合機であったが、本発明はこれに限られない。画像形成装置１００は、例えば、モノクロ複合機であってもよい。
【００６９】
（２）図１〜図１０を参照して説明した画像形成装置１００は、電子写真方式の複合機であったが、本発明はこれに限られない。画像形成装置１００は、例えば、インクジェット記録方式の複合機であってもよい。例えば、インクジェット記録方式の複合機の場合、交換部品３４はインクカートリッジであり、消耗品はインク（例えば、ブラック色）である。画像形成ユニット部は、記録ヘッドを含む。
【符号の説明】
【００７０】
１５      制御部
１７      記憶部
３０      画像形成部
３１、３１Ｂｋ、３１Ｃ、３１Ｍ、３１Ｙ  装着部
３４、３４Ｂｋ、３４Ｃ、３４Ｍ、３４Ｙ  交換部品
８０      入力部
９０      表示部
１００    画像形成装置
１６７    インジケーター
Ｍ１      通知画面
Ｐ        記録媒体
【図１】
2019086738.tif 000003
【図２】
2019086738.tif 000004
【図３】
2019086738.tif 000005
【図４】
2019086738.tif 000006
【図５】
2019086738.tif 000007
【図６】
2019086738.tif 000008
【図７】
2019086738.tif 000009
【図８】
2019086738.tif 000010
【図９】
2019086738.tif 000011
【図１０】
2019086738.tif 000012